(57)【要約】【課題】本体の粘着シートによって本体と掃除パッドの取り外しが容易で、水気によって本体と掃除パッドとの間の粘着力が落ちないように装置パッドの一面に防水シートが設けられる掃除パッド取り外し式掃除具を提供する。【解決手段】本発明の掃除パッド取り外し式掃除具は、使用者が把持することができ、底面に粘着シート１１２が備えられている本体１１０と、前記粘着シート１１２の粘着力によって前記本体１１０に取り外されるが、前記粘着シート１１２に接触する一面には防水シート１２２が備えられている掃除パッド１２０と、を含む。【選択図】図２
2020028399.tif 000002
【特許請求の範囲】
【請求項１】
使用者が把持することができ、底面に粘着シート（１１２）が備えられている本体（１１０）と、
前記粘着シート（１１２）の粘着力によって前記本体（１１０）に取り外される掃除パッド（１２０）と、を含む掃除パッド取り外し式掃除具。
【請求項２】
前記粘着シート（１１２）に接触する前記掃除パッド（１２０）の一面には防水シート（１２２）が備えられることを特徴とする請求項１に記載の掃除パッド取り外し式掃除具。
【請求項３】
前記掃除パッド（１２０）が積み重なって保管されるパッド受容部（１３２）を更に含む請求項２に記載の掃除パッド取り外し式掃除具。
【請求項４】
前記本体（１１０）は本体受容部（１３４）に保管され、前記本体受容部（１３４）は前記パッド受容部（１３２）の上端部に備えられることを特徴とする請求項３に記載の掃除パッド取り外し式掃除具。
【発明の詳細な説明】
【技術分野】
【０００１】
本発明は掃除具に関し、より詳しくは、本体の粘着シートによって本体と掃除パッドの取り外しが容易で、水気によって本体と掃除パッドとの間の粘着力が落ちないように装置パッドの一面に防水シートが設けられる掃除パッド取り外し式掃除具に関する。
【背景技術】
【０００２】
一般に、過程の居間及び部屋の床を拭く際に手動掃除機を使用する。手動掃除機とは手で把持した状態で底面に掃除布という掃除パッドを取り付け、手で掃除機を押しながら掃除する道具をいうが、このような手動掃除機の一例が特許文献１の「取っ手を有する水拭き雑巾掃除具」に開示されている。
【０００３】
前記考案による掃除具はＴ字型の着脱片を介して水拭き雑巾を固定する方式が使用されるが、着脱片によって水拭き雑巾が固く固定される長所がある。しかし、前記考案はＴ字型の着脱片が水拭き雑巾の繊維組織にかかって固定される方式であって、取り外しの際に所定の力が所用されるため、着脱片によって水拭き雑巾の繊維組織が引き上げられるか損傷する問題点が発生する。また、特許文献２には、掃除具とクリーンパッドがベルクロテープを利用して取り外される方式が図示されている。しかし、ベルクロテープの場合も取り外しの際に一定以上の力が入るため、ベルクロテープの間に異物が挟まれるか水がつくと接着力が著しく低下し、クリーンパッドが固く固定されずに容易に剥がれてしまう問題点がある。
【先行技術文献】
【特許文献】
【０００４】
【特許文献１】韓国登録実用新案第２０−０３２８２４３号、「取っ手を有する水拭き雑巾掃除具」
【特許文献２】韓国登録特許第１０−１０２１０９１号、「ＰＶＡポリウレタンフォームのクリーンパッドの製造方法を及びそのクリーンパッド」
【発明の概要】
【発明が解決しようとする課題】
【０００５】
本発明は、前記のような問題点を解決しようと案出されたものであり、本発明の目的は居間や部屋の床を拭くことができるように本体に掃除パッドが取り外される掃除具において、本体の粘着シートによって本体と掃除パッドの取り外しが容易で、水気によって本体と装置パッドの間の粘着力が下がらないように掃除パッドの一面に防水シートが設けられる掃除パッド取り外し式掃除具を提供することである。
【０００６】
本発明の他の目的は、掃除パッドの取替え及び保管が容易であるように多数の掃除パッドが積層されるパッド受容部が備えられ、掃除具の総合的な管理及び保管が容易であるように、本体が保管される本体受容部がパッド受容部に連結される構造を有する装置パッド取り外し式掃除具を提供することである。
【０００７】
一方、本発明に明示されていない他の目的は、後述する詳細な説明及びその他の効果から容易に推論し得る範囲内で追加的に考慮されるはずである。
【課題を解決するための手段】
【０００８】
前記目的を達成するための本発明による掃除パッド取り外し式掃除具は、使用者が把持することができ、底面に粘着シート１１２が備えられている本体１１０と、前記粘着シート１１２の粘着力によって前記本体１１０に取り外されるが、前記粘着シート１１２に接触する一面には防水シート１２２が備えられている掃除パッド１２０と、を含む。
【０００９】
ここで、前記掃除具には前記掃除パッド１２０が積み重なって保管されるパッド受容部１３２が更に含まれ、前記本体１１０は本体受容部１３４に保管され、前記本体受容部１３４は前記パッド受容部１３２の上端部に備えられる。
【発明の効果】
【００１０】
本発明による掃除パッド取り外し式掃除具は、本体に備えられている粘着シートの粘着力によって本体から掃除パッドの取り外しが容易に行われ、本体に接触する掃除パッドの一面に防水シートが設けられて掃除パッドの水気が粘着シートに伝達されないように遮断することで、掃除パッドに水気がある状態でも本体と掃除パッドの間の粘着力が下がらずに固く取り付けられる効果がある。
【００１１】
また、パッド受容部に多数の掃除パッドが積み重なっていて掃除パッドの管理及び取替えが容易に行われ、本体が保管される本体受容部がパッド受容部の上端部に分離可能な形態で備えられることで、掃除具の総合的な管理及び保管が容易な長所がある。
【図面の簡単な説明】
【００１２】
【図１】本発明の一実施例による掃除パッド取り外し式掃除具の斜視図である。
【図２】本発明の一実施例による掃除パッド取り外し式掃除具の分解斜視図である。
【図３】図２に示した本体に掃除パッドが取り付けられている様子を示す側面図である。
【図４】本発明の一実施例による掃除パッド取り外し式掃除具の断面図である。
【図５】本発明の一実施例による掃除パッド取り外し式掃除具の作用を示す断面図である。
【発明を実施するための形態】
【００１３】
本発明の目的、特定の長所及び新規の特徴は、添付した図面に関連する以下の詳細な説明と好ましい実施例からより明白になるはずである。また、使用された用語は本発明における機能を考慮して定義された用語であって、これは使用者や運用者の意図または慣例に応じて異なり得る。よって、このような用語に対する定義は、本明細書全般にわたる内容に基づいて下されるべきである。
【００１４】
各図面の構成要素に参照符号を付けるに当たって、同じ構成要素に対してはたとえ他の図面上に示されていても、できるだけ同じ符号を付けていることに留意してほしい。また、本発明を説明するに当たって、関連する公知構成または機能に関する具体的な説明が本発明の要旨を不明確にする恐れがあると判断される場合、その詳細な説明は省略する。
【００１５】
また、本発明の構成要素を説明するに当たって、第１、第２、Ａ、Ｂ、（ａ）、（ｂ）などの用語を使用することがある。このような用語はその構成要素を他の構成要素と区別するためのものに過ぎず、その用語によって該当構成要素の本質や順番などは限られない。ある構成要素が他の構成要素に「連結」、「結合」または「接続」すると記載されている場合、その構成要素はその他の構成要素に直接連結されるか接続されてもよいが、各構成要素の間に他の構成要素が「連結」、「結合」または「接続」できると理解すべきである。
【００１６】
以下、図面を参照して本発明の一実施例の構成及び作用を詳細に説明する。
【００１７】
図１乃至図３には、本発明の一実施例による掃除パッド取り外し式掃除具の斜視図及び分解斜視図、側面図がそれぞれ示されている。図１乃至図３を参照して説明すると、本発明の一実施例による掃除パッド取り外し式掃除具１００は、使用者が把持することができ、底面に粘着シート１１２が備えられている本体１１０と、粘着シート１１２によって本体に取り外され、粘着シート１１２と接触する一面に防水シート１２２が設けられている掃除パッド１２０と、多数の掃除パッド１２０が積層されているパッド受容部１３２と本体１１０が保管される本体受容部１３４からなる保管箱１２３０と、を含んで構成される。
【００１８】
本体１１０は掃除パッド１２０が取り付けられる空間を提供し、使用者が把持し得るように支持板１１３と取っ手１１４からなる。使用者は取っ手１１４を手で把持した状態で支持板１１３に取り付けられている掃除パッド１２０を利用して、居間や部屋の底を掃除するのに使用することができる。本体１１０は、使用しない場合には後述する本体受容部１３４の内側に内蔵して保管することができる。支持板１１３は大体矩形を有するが、これに限らず角がラウンドした模様や円形など、多様な形態に製作されてもよい。支持板１１３の上側には、使用者が把持し得る形態の取っ手１１４が設けられる。取っ手１１４は使用者が容易に取ることができる形態及び構成であればどのようなものであってもよく、本実施例では、取っ手１１４の形態が半円状になっているが、これに限らず長い棒状で備えられてもよい。
【００１９】
支持板１１３の底面には粘着シート１１２が備えられる。粘着シート１１２は粘着力を有する物質であって、永久的に使用可能な特徴を有する。粘着シート１１２としては反復的な粘着力を提供する多様な合成樹脂を使用してもよいが、本実施例の粘着シート１１２は、エラストマー粘着シート（ＳＨＥＥＴ  ＥＬＡＳＴＯＭＥＲ  ＡＤＨＥＳＩＶＥ）が使用されるとしている。粘着シート１１２は、粘着面にくずやほこりがついても水洗すると粘着力が元通りに戻るため、反復的な使用が可能な長所がある。粘着シート１１２はベルクロテープのような特殊な模様を有する雌雄構造からなるのではなく、滑らかで平らな形態で表面の性質を利用するものであるため、粘着シート１１２に取り付けられる掃除パッド１２０が全く損傷せずに安全で容易に取り外される長所がある。
【００２０】
掃除パッド１２０は布やポリウレタンフォームで製作された掃除布の形態であって、居間や部屋の床のほこりや異物を除去するのに使用される。掃除パッド１２０としては上述した布やポリウレタンンフォームの他にも多様な材質が使用されてもよく、一実施例としてポリエステル（ｐｏｌｙｅｓｔｅｒ)混紡のウェットティッシュタイプの掃除布が使用されてもよい。掃除パッド１２０は本体１１０に取り付けられている状態で使用されるため、上述したように粘着シート１１２によって本体１１０の底面に取り付けられる。しかし、居間や部屋の床を水洗するために掃除パッド１２０に水がついている状態では、掃除パッド１２０の水気が粘着シート１１２に伝達されて粘着シート１１２の粘着力が減少するようになるため、本体１１０から掃除パッド１２０が容易に剥がれてしまう問題点が発生する。そのために、本発明の一実施例による掃除パッド取り外し式掃除具１１０は、掃除パッド１２０の一面に防水シート１２２が備えられる。より詳しくは、粘着シート１１２に当たる掃除パッド１２０の一面、つまり、上面には水がつかないように遮断する防水シート１２２が取り付けられる。防水シート１２２は表面が滑らかで光沢が形成されるように製作されるが、このような防水シート１２２は掃除パッド１２０の水気が粘着シート１１２に移動しないように遮断する役割だけでなく、粘着シート１１２と掃除パッド１２０の粘着力を上げて、本体１１０に掃除パッド１２０が固く固定されるように連結する役割をする。
【００２１】
このような掃除パッド１２０は、一定回数以上使用すると洗浄力が低下するため、本体１１０に新しい掃除パッド１２０に取り替える必要がある。そのために、多数の掃除パッド１２０が積み重なって保管される保管箱１３０が備えられる。この際、保管箱１３０は掃除パッドのみならず本体１１０も保管できるように構成されるが、本体１１０に対する掃除パッド１２０の取替えを容易にする役割をする。
【００２２】
図１及び図２、図４を参照して説明すると、保管箱１３０は掃除パッド１２０が積層されるパッド受容部１３２、及び本体１１０が保管される本体受容部１３４を含んで構成される。本体受容部１３４は、パッド受容部１３２の上端部を開閉できるようにパッド受容部１３２の上端部に連結される。本実施例では本体受容部１３４がパッド受容部１３２の上端の旋回軸１３５から回動可能に連結されると示されているが、これに限らず本体受容部１３４はパッド受容部１３２の上端内側に差し込まれて結合される形態であってもよく、パッド受容部１３２の上端部から摺動するように構成されてもよい。
【００２３】
パッド受容部１３２の内側には多数の掃除パッド１２０が積み重なっている。パッド受容部１３２の内側のサイズは、本体１１０の外側のサイズと整合するように形成される。これは、図５に示したように、本体１１０に対して掃除パッド１２０を取り替える際に容易に掃除パッド１２０を取り替えるようにするためである。詳しくは、本体１１０に対し掃除パッド１２０を取り替える際、まず本体１１０から使用済みの掃除パッド１２０を分離した後、パッド受容部１３２の上端部を開放する。そして、本体１１０をパッド受容部１３２の内側に挿入させると、パッド受容部１３２の内側のサイズに本体１１０の外側のサイズが整合されるため、本体１１０がパッド受容部１３２の内側から下方に自然に垂直下降するようになり、本体１１０が下降し続けるにつれ、多数の掃除パッド１２０のうち最上端の掃除パッド１２０が本体１１０の粘着シート１１２に当たって固く取り付けられるようになる。このような過程を介して本体１１０に掃除パッド１２０が取り付けられると、本体１１０をパッド受容部１３２から引き出し、掃除パッド１２０を介して居間や部屋の床を掃除することができるようになる。また、掃除パッド１２０を更に取り替える必要があれば、上述した方法を繰り返して容易に掃除パッド１２０を取り替えることができる。
【００２４】
また、使用が終わった本体１１０は本体受容部１３４に配置して保管することができる。本体受容部１３４は上述したようにパッド受容部１３２の上端に連結されており、内側には本体１１０が受容される所定の空間が形成されている。このように、掃除パッド１２０が保管されているパッド受容部１３２と本体１１０を保管する本体受容部１３４が連結されている構造を有することで、掃除具１００の管理及び保管が容易な長所を有するようになる。
【００２５】
上述した「含む」、「構成する」、または「有する」などの用語は、特に反対する記載がない限り、該当構成要素が内在され得ることを意味するゆえ、他の構成要素を除外するのではなく、他の構成要素を更に含み得ると解析すべきである。技術的か科学的な用語を含む全ての用語は、異なるように定義されない限り、本発明の属する技術分野における通常の知識を有する者によって一般的に理解されることと同じ意味を有する。事前に定義された用語のように一般的に使用される用語は関連技術の文脈上の意味と一致すると解析すべきであり、本発明で明白に定義しない限り、理想的か過度に形式的な意味で解析されない。
【００２６】
これまでの説明は本発明の技術思想を例示的に説明したものに過ぎず、本発明の属する技術分野における通常の知識を有する者であれば、本発明の本質的な特性から逸脱しない範囲内で多様な修正及び変形が可能なはずである。よって、本発明の開示された実施例は、本発明の技術思想を限定するためのものではなく説明するためのものであり、本発明の技術思想の範囲がこのような実施例によって限定されない。本発明の保護範囲は下記特許請求の範囲によって解析されるべきであり、それと同等な範囲内にある全ての技術思想は本発明の権利範囲に含まれると解析すべきである。
【符号の説明】
【００２７】
１００：掃除具
１１０：本体
１１２：粘着シート
１１３：支持板
１１４：取っ手
１２０：掃除パッド
１２２：防水シート
１３０：保管箱
１３２：パッド受容部
１３４：本体受容部
【図１】
2020028399.tif 000003
【図２】
2020028399.tif 000004
【図３】
2020028399.tif 000005
【図４】
2020028399.tif 000006
【図５】
2020028399.tif 000007
【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
使用者が把持することができ、底面に粘着シート（１１２）が備えられている本体（１１０）と、
前記本体（１１０）の前記粘着シート（１１２）に取り外し可能に取り付けられる掃除パッド（１２０）と、
複数の前記掃除パッド（１２０）が積み重なって保管されるパッド受容部（１３２）と、
を含む掃除パッド取り外し式掃除具であって、
複数の前記掃除パッド（１２０）の各々は、前記粘着シート（１１２）に接触する一面に防水シート（１２２）を有することを特徴とする掃除パッド取り外し式掃除具。
【請求項２】
前記粘着シート（１１２）の前記防水シート（１２２）が接触する面と、前記防水シート（１２２）の前記粘着シート（１１２）に接触する面とは、同じ形状でありかつ同じ大きさであることを特徴とする請求項１に記載の掃除パッド取り外し式掃除具。
【請求項３】
前記本体（１１０）の前記底面と、前記粘着シート（１１２）の前記底面に接触する面とは、同じ形状でありかつ同じ大きさであることを特徴とする請求項１又は請求項２に記載の掃除パッド取り外し式掃除具。
【請求項４】
前記本体（１１０）は本体受容部（１３４）に保管され、前記本体受容部（１３４）は前記パッド受容部（１３２）の上端部に備えられることを特徴とする請求項１に記載の掃除パッド取り外し式掃除具。